(57)【特許請求の範囲】
【請求項１】
使用者によって選択された目標回転速度信号Ｓtargetが入力され、入力された当該目標回転速度信号Ｓtargetとファンが設置された環境の環境温度とに基づいて当該ファンの回転速度を制御するファン制御装置であって、
（i）前記環境温度を測定し、当該環境温度に応じて変化する温度値Ｓtempを生成する温度測定モジュール３１と、
（ii）（ａ）前記環境温度が所定の第１温度Ｔ1以上であり、かつ所定の第２温度Ｔ2（ただし、Ｔ2＞Ｔ1）以下である場合に、前記温度値Ｓtempと前記目標回転速度信号Ｓtargetとに基づいて、前記温度値Ｓtempが増加するにつれて前記ファンの回転速度を増加させ、かつ前記目標回転速度信号Ｓtargetに応じて前記ファンの回転速度を増減させる温度回転速度信号Ｓ51を生成する温度変調ユニット５１と、
（ｂ）前記環境温度が前記第２温度Ｔ2以上である場合に、前記目標回転速度信号Ｓtargetに基づいて、前記目標回転速度信号Ｓtargetに応じた一定の回転速度で前記ファンを全速回転させる第１速度限定信号Ｓ52を生成する第１一定速度変調ユニット５２と、
（ｃ）前記環境温度が前記第１温度Ｔ1以下である場合に、前記目標回転速度信号Ｓtargetに基づいて、前記目標回転速度信号Ｓtargetに応じた一定の回転速度で前記ファンを低速回転させる第２速度限定信号Ｓ53を生成する第２一定速度変調ユニット５４と、
（ｄ）前記温度回転速度信号Ｓ51及び前記第１速度限定信号Ｓ52の少なくとも１つに基づいてファン制御信号Ｓfanを生成する総合制御ユニット５３と、
を含む回転速度変調モジュール５と、
（iii）前記環境温度が前記第１温度Ｔ1以下であり、かつ前記第２速度限定信号Ｓ53による回転速度が前記ファン制御信号Ｓfanによる回転速度よりも低速である場合は、前記第２速度限定信号Ｓ53に基づいて駆動信号Ｓdriveを生成し、それ以外の場合は前記ファン制御信号Ｓfanに基づいて駆動信号Ｓdriveを生成するファン駆動モジュール３２と、
を備え、
前記ファンの全速回転または低速回転が維持されている際に、前記使用者によって前記目標回転速度信号Ｓtargetが別の目標回転速度信号Ｓtargetに変更されると、前記ファンの回転速度が変更後の目標回転速度信号Ｓtargetに応じた速度となる、
ことを特徴とするファン制御装置。
【請求項２】
前記目標回転速度信号Ｓtargetと前記駆動信号Ｓdriveが、パルス幅変調信号であることを特徴とする請求項１に記載のファン制御装置。
【請求項３】
前記温度変調ユニット５１は、
抵抗器Ｒ4と、
ゲートが前記目標回転速度信号Ｓtargetを受け取るとともに、ソースが接地されたＦＥＴ  ＴＲ1と、
一端が前記抵抗器Ｒ4の一端に電気的に接続され、他端が前記ＦＥＴ  ＴＲ1のゲートに電気的に接続された抵抗器Ｒ2と、
一端が前記抵抗器Ｒ4の一端に電気的に接続され、他端が前記ＦＥＴ  ＴＲ1のドレインに電気的に接続された抵抗器Ｒ3と、
アノードが前記ＦＥＴ  ＴＲ1のドレインに電気的に接続され、カソードが前記抵抗器Ｒ4の他端に電気的に接続されたダイオードＤ1と、
一端が前記抵抗器Ｒ4の他端に電気的に接続され、他端が接地されたコンデンサーＣ1と、
を含み、前記コンデンサーＣ1の前記一端において、前記温度測定モジュール３１からの前記温度値Ｓtempを受け取るとともに、前記温度回転速度信号Ｓ51が生成されるように構成したことを特徴とする請求項１または２に記載のファン制御装置。
【請求項４】
前記第１一定速度変調ユニット５２は、
抵抗器Ｒ13と、
ゲートが前記目標回転速度信号Ｓtargetを受け取るとともに、ソースが接地されたＦＥＴ  ＴＲ3と、
一端が前記抵抗器Ｒ13の一端に電気的に接続され、他端が前記ＦＥＴ  ＴＲ3のドレインに電気的に接続された抵抗器Ｒ12と、
アノードが前記ＦＥＴ  ＴＲ3のドレインに電気的に接続され、カソードが前記抵抗器Ｒ13の他端に電気的に接続されたダイオードＤ7と、
前記抵抗器Ｒ13の他端をプルダウンする抵抗器Ｒ14と、
前記抵抗器Ｒ14に並列に接続されたコンデンサーＣ3と、
を含み、前記抵抗器Ｒ13の他端において、前記第１速度限定信号Ｓ52が生成されるように構成したことを特徴とする請求項１〜３のいずれかに記載のファン制御装置。
【請求項５】
前記総合制御ユニット５３は、
アノードが前記温度変調ユニット５１からの前記温度回転速度信号Ｓ51を受け取るダイオードＤ2と、
アノードが前記１一定速度変調ユニット５２からの前記第１速度限定信号Ｓ52を受け取り、カソードが前記ダイオードＤ2のカソードに電気的に接続されたダイオードＤ8と、
を含み、前記ダイオードＤ2と前記ダイオードＤ8の接続点において、前記ファン制御信号Ｓfanが生成されるように構成したことを特徴とする請求項１〜４のいずれかに記載のファン制御装置。
【請求項６】
前記第２一定速度変調ユニット５４は、
抵抗器Ｒ6と、
ゲートが前記目標回転速度信号Ｓtargetを受け取るとともに、ソースが接地されたＦＥＴ  ＴＲ2と、
一端が前記抵抗器Ｒ6の一端に電気的に接続され、他端が前記ＦＥＴ  ＴＲ2のドレインに電気的に接続された抵抗器Ｒ5と、
カソードが前記ＦＥＴ  ＴＲ2のドレインに電気的に接続され、アノードが前記温度変調ユニット５１からの前記温度速度限定信号Ｓ54を受け取るダイオードＤ3と、
アノードが前記ＦＥＴ  ＴＲ2のドレインに電気的に接続され、カソードが前記抵抗器Ｒ6の他端に電気的に接続されたダイオードＤ4と、
前記抵抗器Ｒ6の他端をプルダウンする抵抗器Ｒ7と、
前記抵抗器Ｒ7に並列に接続されたコンデンサーＣ2と、
一端が前記抵抗器Ｒ6の他端に電気的に接続され、他端が前記ファン駆動モジュール３２に電気的に接続された抵抗器Ｒ8と、
アノードが前記抵抗器Ｒ8の他端に電気的に接続されたダイオードＤ5と、
前記ダイオードＤ5のカソードをプルアップする抵抗器Ｒ9と、
前記ダイオードＤ5のカソードをプルダウンする抵抗器Ｒ10と、
を含み、前記抵抗器Ｒ8の他端において、前記第２速度限定信号Ｓ53が生成されるように構成したことを特徴とする請求項３〜５のいずれかに記載のファン制御装置。
【発明の詳細な説明】
【技術分野】
【０００１】
本発明は、ファン制御装置及びその方法に関するものである。
【背景技術】
【０００２】
一般的に、ファンは各種の電子装置をスムーズに放熱させるために多数の電子装置の内部に装着される。周知のファン制御装置は、ファンの環境と環境温度に基づきファンの回転速度を全速または低速に維持するか、或いはファンの回転速度を全速と低速の間に調整するものである。
【０００３】
図１に示すように、周知のファン制御装置１は温度センサー１１と駆動チップ１２を備え、そのうち温度センサー１１は環境温度を測定し測定値１１１を生成し、駆動チップ１２は測定値１１１、または最低回転速度信号１２１に基づき駆動信号１２２を生成する。また、ファン２は駆動信号１２２を受けて稼働し、そのうち駆動信号１２２はパルス幅変調信号にすることが可能である。最低回転速度信号１２１は一定電圧レベルにすることが可能であり、ファン２は駆動信号１２２の電圧値の大きさ、または電圧パルスのデューティー比によって回転速度を調整する。
【０００４】
上述の温度センサー１１はサーミスターにすることが可能であり、図２に示すように環境温度が高ければ高いほど、温度センサー１１が生成する測定値１１１の電圧（出力信号）が低くなる。
【０００５】
図１と図３に示すように、ファン２は駆動信号１２２の電圧値の高さ、または電圧パルスのデューティー比によって回転速度を調整し、駆動信号１２２は測定値１１１の大きさに伴い変化するため、ファン２は環境温度に応じ回転速度を調整可能である。
【０００６】
環境温度が温度Ｔ1以上、Ｔ2以下である場合、駆動チップ１２は測定値１１１に基づき駆動信号１２２の電圧値または電圧パルスのデューティー比を調整するため、ファン２は温度変化に伴い回転速度が調整される。
【０００７】
環境温度がＴ2以上である場合、駆動チップ１２は測定値１１１に基づき調整するのではなく、駆動信号１２２の電圧値、または電圧パルスのデューティー比を一定に保つため、ファン２は温度の上昇にかかわらず、全速回転を維持する。
【０００８】
環境温度がＴ1以下である場合、駆動チップ１２は駆動信号１２２の電圧値、または電圧パルスのデューティー比を測定値１１１に基づき調整せずに、最低回転速度信号１２１に基づき駆動信号１２２を生成するため、ファン２は温度の低下にかかわらず低速回転を維持する。
【発明の開示】
【発明が解決しようとする課題】
【０００９】
周知のファン制御装置および方法は、温度変化に応じてファンの回転速度を調整することしかできないため、使用者は自分でファンの回転速度を下げてファンの騒音を低下させたり、放熱または通風の需要によりファンの回転速度を調整したりすることができない。つまり、周知のファン制御装置および方法は、温度変化に基づきファンの回転速度を調整し、ファンの回転速度と温度の関係を一定に保持することしかできないため、ファンの回転速度と温度の特性曲線をより一層変化させることができない。したがって、ファンは、一定の温度下では回転速度を変化させることなく一定の回転速度を維持するため、使用者の需要、または環境の要求に応じてファンの回転速度を調整することができない。
【００１０】
したがって、本発明によるファン制御装置および方法は、温度に基づきファンの回転速度を自動的に調整可能であるだけでなく、使用者の設定に基づき自動的にファンの回転速度を調整し、また、様々な温度情況下で使用者の需要、または環境の要求に応じてファンの回転速度を速くしたり遅くしたりすることにより、ファンの回転速度と温度の特性曲線をより一層変化させ得ることが期待されている。このことは現在の最も重要な課題の一つとなっている。
【００１１】
上述の課題に鑑みて、本発明の主な目的は、ファンの回転速度を自動的に調整可能なファン制御装置及び方法を提供することである。
【課題を解決するための手段】
【００１２】
上述の目的を達成するために、本発明によるファン制御装置は、使用者によって選択された目標回転速度信号Ｓtargetが入力され、入力された当該目標回転速度信号Ｓtargetとファンが設置された環境の環境温度とに基づいて当該ファンの回転速度を制御するファン制御装置であって、（i）前記環境温度を測定し、当該環境温度に応じて変化する温度値Ｓtempを生成する温度測定モジュール３１と、（ii）（ａ）前記環境温度が所定の第１温度Ｔ1以上であり、かつ所定の第２温度Ｔ2（ただし、Ｔ2＞Ｔ1）以下である場合に、前記温度値Ｓtempと前記目標回転速度信号Ｓtargetとに基づいて、前記温度値Ｓtempが増加するにつれて前記ファンの回転速度を増加させ、かつ前記目標回転速度信号Ｓtargetに応じて前記ファンの回転速度を増減させる温度回転速度信号Ｓ51を生成する温度変調ユニット５１と、（ｂ）前記環境温度が前記第２温度Ｔ2以上である場合に、前記目標回転速度信号Ｓtargetに基づいて、前記目標回転速度信号Ｓtargetに応じた一定の回転速度で前記ファンを全速回転させる第１速度限定信号Ｓ52を生成する第１一定速度変調ユニット５２と、（ｃ）前記環境温度が前記第１温度Ｔ1以下である場合に、前記目標回転速度信号Ｓtargetに基づいて、前記目標回転速度信号Ｓtargetに応じた一定の回転速度で前記ファンを低速回転させる第２速度限定信号Ｓ53を生成する第２一定速度変調ユニット５４と、（ｄ）前記温度回転速度信号Ｓ51及び前記第１速度限定信号Ｓ52の少なくとも１つに基づいてファン制御信号Ｓfanを生成する総合制御ユニット５３と、を含む回転速度変調モジュール５と、（iii）前記環境温度が前記第１温度Ｔ1以下であり、かつ前記第２速度限定信号Ｓ53による回転速度が前記ファン制御信号Ｓfanによる回転速度よりも低速である場合は、前記第２速度限定信号Ｓ53に基づいて駆動信号Ｓdriveを生成し、それ以外の場合は前記ファン制御信号Ｓfanに基づいて駆動信号Ｓdriveを生成するファン駆動モジュール３２と、を備え、前記ファンの全速回転または低速回転が維持されている際に、前記使用者によって前記目標回転速度信号Ｓtargetが別の目標回転速度信号Ｓtargetに変更されると、前記ファンの回転速度が変更後の目標回転速度信号Ｓtargetに応じた速度となることを特徴とする。
【発明の効果】
【００１４】
上述の通り、本発明によるファン制御装置は回転速度変調モジュールを有し、回転速度変調モジュールは、温度値と目標回転速度信号に基づきファンの回転速度を制御するため、温度値に基づきファンの回転速度を自動的に調整可能であるだけでなく、目標回転速度信号に基づき自動的にファンの回転速度を調整することにより、ファンの回転速度と温度の特性曲線をより一層変化させることが可能である。したがって、使用者は、使用者の環境と需要に応じてファンの回転速度を適切に調整することが可能となる。
【発明を実施するための最良の形態】
【００１５】
以下、本発明の実施例によるファン制御装置及び方法を図面に基づいて説明する。
【００１６】
図４に示すように、本発明の実施例によるファン制御装置３は目標回転速度信号Ｓtargetを受けることでファン４の回転速度を制御するものである。ファン制御装置３は、温度測定モジュール３１、回転速度変調モジュール５及びファン駆動モジュール３２を備える。
【００１７】
温度測定モジュール３１はファン４が設置された環境の温度を測定し、温度値Ｓtempを生成する。回転速度変調モジュール５は、温度測定モジュール３１に電気的に接続されることで温度値Ｓtempを受け取り、温度値Ｓtempと目標回転速度信号Ｓtargetに基づきファン制御信号Ｓfanを生成する。ファン駆動モジュール３２は、回転速度変調モジュール５に電気的に接続され、ファン制御信号Ｓfanに基づき駆動信号Ｓdriveを生成することでファン４を駆動する。本実施例では、目標回転速度信号Ｓtargetと駆動信号Ｓdriveはパルス幅変調信号（Pulse Width Modulation Signal）にすることが可能である。目標回転速度信号Ｓtargetはメインボードの温度監視制御チップまたはPWM制御チップまたはマイクロプロセッサーなどの温度制御ユニットから生成されるデジタル出力信号である。
【００１８】
図５に示すように、本実施例では、回転速度変調モジュール５は温度変調ユニット５１、第１一定速度変調ユニット５２と総合制御ユニット５３を含む。
【００１９】
温度変調ユニット５１は、温度値Ｓtempを受け取り、温度値Ｓtempと目標回転速度信号Ｓtargetに基づき温度回転速度信号Ｓ51を生成する。第１一定速度変調ユニット５２は、目標回転速度信号Ｓtargetに基づき第１速度限定信号Ｓ52を生成する。総合制御ユニット５３は温度回転速度信号Ｓ51と第１速度限定信号Ｓ52の両方、またはいずれか一つに基づきファン制御信号Ｓfanを生成する。
【００２０】
また第１一定速度変調ユニット５２は、目標回転速度信号Ｓtargetと第１温度設定情報SET1に基づき第１速度限定信号Ｓ52を生成し、そのうち第１温度設定情報SET1は、ファン４に一定の回転速度を維持させるように温度範囲を限定するためのものである。
【００２１】
本実施例では、回転速度変調モジュール５は、さらに第２一定速度変調ユニット５４を含む。第２一定速度変調ユニット５４は、温度速度限定信号Ｓ54と目標回転速度信号Ｓtargetに基づき第２速度限定信号Ｓ53を生成する。温度速度限定信号Ｓ54は、温度変調ユニット５１が温度値Ｓtempに基づき生成したものであり、ファン駆動モジュール３２は、第２速度限定信号Ｓ53に基づき駆動信号Ｓdriveを生成し、ファン４は駆動信号Ｓdriveに基づき一定の回転速度を維持する。
【００２２】
また第２一定速度変調ユニット５４は、目標回転速度信号Ｓtarget、温度速度限定信号Ｓ54、第２温度設定情報SET2に基づき第２速度限定信号Ｓ53を生成する。第２温度設定情報SET2は、ファン４に一定の回転速度を維持させるように温度範囲を限定するためのものである。
【００２３】
図６に示すように、本実施例では、回転速度変調モジュール５はさらに速度限定調整ユニット５５を含む。速度限定調整ユニット５５は、目標回転速度信号Ｓtargetを調整することで、第１目標信号Ｓ55、第２目標信号Ｓ56、第３目標信号Ｓ57を生成する。
【００２４】
第１一定速度変調ユニット５２は、第１目標信号Ｓ55に基づき第１速度限定信号Ｓ52を生成する。温度変調ユニット５１は、温度値Ｓtempと第２目標信号Ｓ56に基づき温度回転速度信号Ｓ51と温度速度限定信号Ｓ54を生成する。第２一定速度変調ユニット５４は、第３目標信号Ｓ57と温度速度限定信号Ｓ54に基づき第２速度限定信号Ｓ53を生成する。
【００２５】
図４、図５及び図７Ａに示すように、本実施例では、ファン４を設置した環境温度が温度Ｔ1以上、温度Ｔ2以下である場合、温度変調ユニット５１は温度値Ｓtempに基づき温度回転速度信号Ｓ51を生成する。総合制御ユニット５３は、温度回転速度信号Ｓ51と第１速度限定信号Ｓ52に基づきファン制御信号Ｓfanを生成する。ファン駆動モジュール３２は、ファン制御信号Ｓfanに基づき駆動信号Ｓdriveを生成する。ファン４は、駆動信号Ｓdriveにより駆動された後、温度環境の変化に応じて回転速度を調整したり、目標回転速度信号Ｓtargetに基づき同じ温度環境下でのファン４の回転速度を調整したりすることが可能である。本実施例では、目標回転速度信号Ｓtargetの電圧値が小さければ小さいほどファン４の回転速度が速くなる。つまり、一定の環境温度下で、目標回転速度信号Ｓtargetの電圧を高く調整すれば、ファン４の回転速度を下げることが可能である。
【００２６】
環境温度がＴ2以上である場合、第１一定速度変調ユニット５２は、目標回転速度信号Ｓtargetと第１温度設定情報SET1に基づき第１速度限定信号Ｓ52を生成する。第１温度設定情報SET1は、環境温度が温度Ｔ2以上である時に、ファン４が所定の最大回転速度を維持するように限定する。総合制御ユニット５３は、第１速度限定信号Ｓ52に基づきファン制御信号Ｓfanを生成する。ファン駆動モジュール３２はファン制御信号Ｓfanに基づき駆動信号Ｓdriveを生成し、ファン４は駆動信号Ｓdriveにより駆動された後、ファン４は温度の上昇にかかわらず所定の最大回転速度で回転を行い、目標回転速度信号Ｓtargetに基づき同じ環境温度下でのファン４の所定の回転速度を調整することが可能である。つまり、一定の環境温度下で目標回転速度信号Ｓtargetの電圧を高く調整すれば、ファン４の回転速度を下げることが可能である。
【００２７】
環境温度が温度Ｔ1以下である場合、第２一定速度変調ユニット５４は目標回転速度信号Ｓtargetと温度速度限定信号Ｓ54と第２温度設定情報SET2に基づき第２速度限定信号Ｓ53を生成する。このため、温度Ｔ1附近ではファン４の回転速度は急上昇や急下降することはない。そのうち第２温度設定情報SET2は、環境温度が温度Ｔ1以下である時のファン４に低速回転を維持させるように限定する。第２速度限定信号Ｓ53の電圧レベルがファン制御信号Ｓfanの電圧レベル以下である場合、ファン駆動モジュール３２は第２速度限定信号Ｓ53に基づき駆動信号Ｓdriveを生成し、ファン４は駆動信号Ｓdriveに基づき低速回転を維持する。このため、ファン４は温度の降下に伴い回転速度を遅くすることなく、目標回転速度信号Ｓtargetに基づき同じ環境温度下でのファン４の所定の回転速度を調整することが可能である。つまり、一定の環境温度下で目標回転速度信号Ｓtargetの電圧を高く調整すればファン４の回転速度を下げることが可能である。
【００２８】
本実施例では、回転速度変調モジュール５はマイクロ制御器、マイクロプロセッサーまたはデジタル信号プロセッサーにおいて実行されるプログラムコードにすることが可能であり、ファームウェア制御によりファン駆動モジュール３２とファン４を制御し、第１温度設定情報SET1と第２温度設定情報SET2は、プログラムコード中のパラメーターまたは変数にすることが可能である。一方、回転速度変調モジュール５は直接電子回路から構成され、ハードウェア制御によりファン駆動モジュール３２とファン４を制御し、第１温度設定情報SET1と第２温度設定情報SET2は、電子回路中のコンデンサー、抵抗器、インダクターまたはトランジスターなどの電子素子の特性パラメーターにすることが可能である。
【００２９】
図４、図５及び図７Ｂ〜図７Ｆに示すように、本実施例では、第１温度設定情報SET1と第２温度設定情報SET2を調整することにより回転速度変調モジュール５の制御特性を変えることが可能である。これにより、ファン４の回転速度を様々な温度下で連続変化させることが可能となるだけでなく、ファン４の回転速度と環境温度の関係を多様に変化させることも可能となる。
【００３０】
図４、図６及び図７Ｇに示すように、第１温度設定情報SET1と第２温度設定情報SET2は、回転速度変調モジュール５の制御特性を変更可能であり、速度限定調整ユニット５５は異なる第１目標信号Ｓ55、第２目標信号Ｓ56と第３目標信号Ｓ57を生成可能である。このため、第１速度限定信号Ｓ52、温度回転速度信号Ｓ51と第２速度限定信号Ｓ53は、別々に第１目標信号Ｓ55、第２目標信号Ｓ56と第３目標信号Ｓ57に基づき生成され、ファン４の回転速度は温度Ｔ1または温度Ｔ2下でも連続変化しない。したがって、ファン４の回転速度と環境温度の関係を多様に変化させることが可能となる。
【００３１】
図８に示すように、本実施例では、回転速度変調モジュール５は電子回路から構成され、目標回転速度信号Ｓtargetは回転速度変調モジュール５に入力された後、抵抗器Ｒ1を介して接地され、さらに温度変調ユニット５１、第２一定速度変調ユニット５４及び第１一定速度変調ユニット５２に入力される。
【００３２】
温度変調ユニット５１は、複数の抵抗器Ｒ2〜Ｒ4、一つのダイオードＤ1、一つのコンデンサーＣ1及び一つのＦＥＴ  ＴＲ1を含む。目標回転速度信号ＳtargetはＦＥＴ  ＴＲ1のゲートに入力される。外部電源Ｖは、抵抗器Ｒ2〜Ｒ4に入力される。さらに、抵抗器Ｒ2はＦＥＴ  ＴＲ1のゲートに電気的に接続され、抵抗器Ｒ3とダイオードＤ1はＦＥＴ  ＴＲ1のドレインに電気的に接続される。
【００３３】
温度測定モジュール３１は、サーミスターＲtにすることが可能であり、温度値ＳtempはサーミスターＲtから生成され、サーミスターＲtはダイオードＤ1、コンデンサーＣ1と抵抗器Ｒ4に電気的に接続されることで温度回転速度信号Ｓ51を生成可能である。
【００３４】
第２一定速度変調ユニット５４は、複数の抵抗器Ｒ5〜Ｒ11、複数のダイオードＤ3〜Ｄ6、一つのコンデンサーＣ2及び一つのＦＥＴ  ＴＲ2を含む。目標回転速度信号ＳtargetはＦＥＴ  ＴＲ2のゲートに入力され、外部電源Ｖは、抵抗器Ｒ5〜Ｒ6に入力される。さらに、ダイオードＤ3は、温度変調ユニット５１に電気的に接続されることで温度速度限定信号Ｓ54を受け取ることが可能であり、抵抗器Ｒ5、ダイオードＤ3及びダイオードＤ4はＦＥＴ  ＴＲ2のドレインに電気的に接続される。抵抗器Ｒ7とコンデンサーＣ2は並列に接続され、抵抗器Ｒ6、抵抗器Ｒ8、ダイオードＤ4に電気的に接続される。この部分の回路は、温度Ｔ1下でのファン４の回転速度を急上昇・急降下させないように制御する。
【００３５】
抵抗器Ｒ8はダイオードＤ5、ダイオードＤ6、抵抗器Ｒ11に電気的に接続される。外部電源Ｖは、抵抗器Ｒ9に入力され、抵抗器Ｒ9はダイオードＤ5と抵抗器Ｒ10に電気的に接続されることで第２速度限定信号Ｓ53を生成可能である。
【００３６】
第１一定速度変調ユニット５２は、複数の抵抗器Ｒ12〜Ｒ14、一つのダイオードＤ7、一つのコンデンサーＣ3及び一つのＦＥＴ  ＴＲ3を含む。目標回転速度信号Ｓtargetは、ＦＥＴ  ＴＲ3のゲートに入力され、外部電源Ｖは抵抗器Ｒ12と抵抗器Ｒ13に入力される。さらに、抵抗器Ｒ12は、ＦＥＴ  ＴＲ3のドレインに電気的に接続され、抵抗器Ｒ13は、ダイオードＤ7に電気的に接続され、ダイオードＤ7は、ＦＥＴ  ＴＲ3のドレインに電気的に接続される。抵抗器Ｒ14とコンデンサーＣ3は並列に接続され、抵抗器Ｒ13、ダイオードＤ7に電気的に接続されることで第１速度限定信号Ｓ52を生成可能である。
【００３７】
総合制御ユニット５３は、ダイオードＤ2とダイオードＤ8を含む。第１速度限定信号Ｓ52はダイオードＤ8に入力され、温度回転速度信号Ｓ51はダイオードＤ2に入力される。ダイオードＤ2とダイオードＤ8は、電気的に接続することでファン制御信号Ｓfanを生成可能である。
【００３８】
図９に示すように、本発明によるファン制御方法は、Step1〜Step3を含んでおり、目標回転速度信号を受け取ることでファンの回転速度を制御する。Step１では、ファンを設置した環境の温度を測定することで温度値を生成する。Step2では、温度値と目標回転速度信号に基づきファン制御信号を生成する。Step3では、ファン制御信号に基づき駆動信号を生成することでファンを駆動する。
【００３９】
図１０に示すように、本実施例におけるStep2は、Step21〜Step23を含む。Step21では、温度値と目標回転速度信号に基づき温度回転速度信号を生成する。Step22では、目標回転速度信号に基づき第１速度限定信号を生成する。本実施例では、目標回転速度信号と第１温度設定情報に基づき第１速度限定信号を生成することが可能であり、そのうち第１温度設定情報は、ファンに一定の回転速度を維持させるように温度範囲を限定する。Step23では、温度回転速度信号と第１速度限定信号の両方、またはいずれか一つに基づきファン制御信号を生成する。
【００４０】
図１１に示す本実施例によるファン制御方法が図９に示す制御方法と異なる点は、さらにStep4、Step5及びStep6を含むことである。Step4では、温度値に基づき温度速度限定信号を生成する。Step5では、目標回転速度信号と温度速度限定信号に基づき第２速度限定信号を生成する。本実施例では、目標回転速度信号、温度速度限定信号と第２温度設定情報に基づき第２速度限定信号を生成することが可能であり、そのうち第２温度設定情報はファンに一定の回転速度を維持させるように温度範囲を限定する。Step6では、第２速度限定信号に基づき駆動信号を生成し、駆動信号に基づきファンに一定の回転速度を維持させる。
【００４１】
また、他の実施例では、目標回転速度信号に基づき第１目標信号、第２目標信号と第３目標信号を生成することも可能である。このため、Step22では、第１目標信号に基づき第１速度限定信号を生成し、Step21では、温度値と第２目標信号に基づき温度回転速度信号を生成し、Step4では、第３目標信号と温度速度限定信号に基づき第２速度限定信号を生成する。
【００４２】
本実施例によるファン制御方法は、図４〜図８に示す実施例のファン制御装置に適用可能である。本実施例によるファン制御方法については、前述のファン制御装置の実施例に挙げて説明したため、無駄な説明を省略する。
【００４３】
上述の通り、本発明によるファン制御装置は回転速度変調モジュールを含む。回転速度変調モジュールは、温度値と目標回転速度信号に基づきファンの回転速度を制御するため、温度値に基づき自動的にファンの回転速度を調節することが可能であるだけでなく、目標回転速度信号に基づきファンの回転速度を自動的に調節することによりファンの回転速度と温度の特性曲線をより一層変化させることも可能である。したがって、ファンは使用者の環境に応じてファンの回転速度を適切に調整することで、使用者の需要を満足させることが可能となる。
【００４４】
以上の説明は一例に過ぎず、本発明はこれに限定されない。本発明の精神と範疇を逸脱しない限り同等な修正または変更をするのは、本発明の請求範囲に属すべきである。
【図面の簡単な説明】
【００４５】
【図１】周知のファン制御装置を示すブロック図である。
【図２】周知のファン制御装置における温度センサー出力信号と環境温度の関係を示すグラフである。
【図３】周知のファン制御装置におけるファンの回転速度と環境温度の関係を示すグラフである。
【図４】本発明の実施例によるファン制御装置を示すブロック図である。
【図５】本発明の実施例によるファン制御装置の回転速度変調モジュールを示すブロック図である。
【図６】本発明の実施例によるファン制御装置の回転速度変調モジュールを示すブロック図である。
【図７Ａ】本発明の実施例によるファン制御装置のファン回転速度と環境温度の関係を示すグラフである。
【図７Ｂ】本発明の実施例によるファン制御装置のファン回転速度と環境温度の関係を示すグラフである。
【図７Ｃ】本発明の実施例によるファン制御装置のファン回転速度と環境温度の関係を示すグラフである。
【図７Ｄ】本発明の実施例によるファン制御装置のファン回転速度と環境温度の関係を示すグラフである。
【図７Ｅ】本発明の実施例によるファン制御装置のファン回転速度と環境温度の関係を示すグラフである。
【図７Ｆ】本発明の実施例によるファン制御装置のファン回転速度と環境温度の関係を示すグラフである。
【図７Ｇ】本発明の実施例によるファン制御装置のファン回転速度と環境温度の関係を示すグラフである。
【図８】本発明の実施例によるファン制御装置の回路を示す模式図である。
【図９】本発明の実施例によるファン制御方法を示すフローチャート図である。
【図１０】本発明の実施例によるファン制御方法のうち、温度値と目標回転速度信号に基づきファン制御信号を生成するステップを示すフローチャート図である。
【図１１】本発明の実施例によるファン制御方法のうち、目標回転速度信号と温度回転速度信号に基づき第２速度限定信号を生成するステップを示すフローチャート図である。
【符号の説明】
【００４６】
１      ファン制御装置
１１    温度センサー
１１１  測定値
１２    駆動チップ
１２１  最低回転速度信号
１２２  駆動信号
２      ファン
３      ファン制御装置
３１    温度測定モジュール
３２    ファン駆動モジュール
４      ファン
５      回転速度変調モジュール
５１    温度変調ユニット
５２    第１一定速度変調ユニット
５３    総合制御ユニット
５４    第２一定速度変調ユニット
５５    速度限定調整ユニット
Ｃ1    コンデンサー
Ｃ2    コンデンサー
Ｃ3    コンデンサー
Ｄ1    ダイオード
Ｄ2    ダイオード
Ｄ3    ダイオード
Ｄ4    ダイオード
Ｄ5    ダイオード
Ｄ6    ダイオード
Ｄ7    ダイオード
Ｄ8    ダイオード
Ｒ1    抵抗器
Ｒ2    抵抗器
Ｒ3    抵抗器
Ｒ4    抵抗器
Ｒ5    抵抗器
Ｒ6    抵抗器
Ｒ7    抵抗器
Ｒ8    抵抗器
Ｒ9    抵抗器
Ｒ10    抵抗器
Ｒ11    抵抗器
Ｒ12    抵抗器
Ｒ13    抵抗器
Ｒ14    抵抗器
Ｒt    サーミスター
SET1    第１温度設定情報
SET2    第２温度設定情報
Ｓdrive  駆動信号
Ｓfan    ファン制御信号
Ｓtarget  目標回転速度信号
Ｓtemp  温度値
Ｓ51    温度回転速度信号
Ｓ52    第１速度限定信号
Ｓ53    第２速度限定信号
Ｓ54    温度速度限定信号
Ｓ55    第１目標信号
Ｓ56    第２目標信号
Ｓ57    第３目標信号
ＴＲ1 ＦＥＴ
ＴＲ2 ＦＥＴ
ＴＲ3 ＦＥＴ
Ｔ1    温度
Ｔ2    温度
Ｖ      外部電源
Step1  ファン制御方法
Step2  ファン制御方法
Step3  ファン制御方法
Step4  ファン制御方法
Step5  ファン制御方法
Step6  ファン制御方法
Step21  ファン制御方法
Step22  ファン制御方法
Step23  ファン制御方法
【図１】
0004557923.tif 000002
【図２】
0004557923.tif 000003
【図３】
0004557923.tif 000004
【図４】
0004557923.tif 000005
【図５】
0004557923.tif 000006
【図６】
0004557923.tif 000007
【図７Ａ】
0004557923.tif 000008
【図７Ｂ】
0004557923.tif 000009
【図７Ｃ】
0004557923.tif 000010
【図７Ｄ】
0004557923.tif 000011
【図７Ｅ】
0004557923.tif 000012
【図７Ｆ】
0004557923.tif 000013
【図７Ｇ】
0004557923.tif 000014
【図８】
0004557923.tif 000015
【図９】
0004557923.tif 000016
【図１０】
0004557923.tif 000017
【図１１】
0004557923.tif 000018